(57)【要約】【課題】スイッチング素子の冷却構造を簡略化でき、小型で低コストの加熱調理器を提供する。【解決手段】被加熱物である調理容器を載置する天板と、天板の下方に配設され、高周波電流が流れることにより被加熱物を誘導加熱する加熱手段と、加熱手段に高周波電流を供給する、スイッチング素子を用いたインバーター回路を搭載した基板と、加熱手段や基板を内包する本体と、本体内に配設され、略長方形状で前面が開口して内部に被調理物を収容可能な調理室とを備え、調理室は、少なくとも左右側面と天面が内郭部材と外郭部材から成る２重構造となっていて、スイッチング素子を調理室の外郭部材に熱的に結合するように取り付ける。【選択図】図３
2013246921.tif 000002
【特許請求の範囲】
【請求項１】
被加熱物である調理容器を載置する天板と、
該天板の下方に配設され、高周波電流が流れることにより前記被加熱物を誘導加熱する加熱手段と、
該加熱手段に高周波電流を供給する、スイッチング素子を用いたインバーター回路を搭載した基板と、
前記加熱手段や前記基板を内包する本体と、
前記本体内に配設され、略長方形状で前面が開口して内部に被調理物を収容可能な調理室と、を備え、
前記調理室は、少なくとも左右側面と天面が内郭部材と外郭部材から成る２重構造となっていて、前記スイッチング素子を前記調理室の前記外郭部材に熱的に結合するように取り付けたことを特徴とする加熱調理器。
【請求項２】
前記調理室の前記内郭部材と前記外郭部材は所定の空間を隔てて構成されていることを特徴とする請求項１に記載の加熱調理器。
【請求項３】
前記本体内に、前記加熱手段や前記基板を冷却するための冷却手段を備え、前記冷却手段により発生した冷却風の一部が、前記外郭部材の前記スイッチング素子を取り付けた面側を通過するようにしたことを特徴とする請求項１または請求項２の何れかに記載の加熱調理器。
【請求項４】
前記スイッチング素子を、前記所定の空間内で前記調理室の前記外郭部材に熱的に結合するように取り付けたことを特徴とする請求項１または請求項２の何れかに記載の加熱調理器。
【請求項５】
前記本体内に、前記加熱手段や前記基板を冷却するための冷却手段を備え、
前記冷却手段により発生した冷却風の一部が、前記外郭部材の前記スイッチング素子を取り付けた面の反対面（裏面）側を通過するようにしたことを特徴とする請求項４に記載の加熱調理器。
【請求項６】
前記冷却手段により発生した冷却風が前記所定の空間内を通過するようにしたことを特徴とする請求項３または請求項５の何れかに記載の加熱調理器。
【請求項７】
前記スイッチング素子はワイドバンドギャップ半導体であり、該ワイドバンドギャップ半導体は、炭化珪素、窒化ガリウム系材料又はダイヤモンドからなることを特徴とする請求項１乃至請求項６の何れか１つに記載の加熱調理器。
【発明の詳細な説明】
【技術分野】
【０００１】
本発明は、加熱調理器に関するものであり、詳しくはインバーター回路を構成するスイッチング素子を備えた加熱調理器に関するものである。
【背景技術】
【０００２】
従来この種の加熱調理器として、「プリント基板上に配設された、加熱コイルを駆動するスイッチング素子、このスイッチング素子を冷却するヒートシンク、並びに上記スイッチング素子及び上記加熱コイル間の電気的な接続経路を構成する導体パターン及び複数のジャンパ線と、上記ヒートシンクに冷却風を通風する冷却ファンとを備え、上記複数のジャンパ線は、上記プリント基板上に上記冷却風の通風部分に互いに等間隔で平行に略逆Ｕ字型を形成するように突出されると共に、隣り合うジャンパ線を流れる電流の向きが逆となるように接続した。」という加熱調理器が提案されている（例えば、特許文献１参照）。
【先行技術文献】
【特許文献】
【０００３】
【特許文献１】特開２００８−２３５１２４号公報（要約、第１図）
【発明の概要】
【発明が解決しようとする課題】
【０００４】
特許文献１の加熱調理器では、インバーター回路を構成するスイッチング素子の自己発熱によるチップ温度上昇を抑制するために高価な冷却フィンを必要としており、冷却フィン容量（大きさ）のために基板面積が大きくなってしまうという問題があった。
【０００５】
本発明は、前述の課題を解決するためになされたもので、スイッチング素子の冷却構造を簡略化でき、小型で低コストの加熱調理器を提供することを目的とする。
【課題を解決するための手段】
【０００６】
課題を解決する本発明に係る加熱調理器は、被加熱物である調理容器を載置する天板と、天板の下方に配設され、高周波電流が流れることにより被加熱物を誘導加熱する加熱手段と、加熱手段に高周波電流を供給する、スイッチング素子を用いたインバーター回路を搭載した基板と、加熱手段や基板を内包する本体と、本体内に配設され、略長方形状で前面が開口して内部に被調理物を収容可能な調理室とを備え、調理室は、少なくとも左右側面と天面が内郭部材と外郭部材から成る２重構造となっていて、スイッチング素子を調理室の外郭部材に熱的に結合するように取り付けたものである。
【発明の効果】
【０００７】
本発明によれば、スイッチング素子を調理室の外郭部材に熱的に結合するように取り付け、調理室の外郭部材を放熱（冷却）部材として使用するようにしたので、スイッチング素子の冷却専用の部品が省略可能となり、基板面積を小さくすることができ加熱調理器の小型化および低コスト化を実現できる。
【図面の簡単な説明】
【０００８】
【図１】本発明の実施の形態１に係る加熱調理器の構成を示す斜視図である。
【図２】本発明の実施の形態１に係る加熱調理器の構成を示す天板を外した状態の斜視図である。
【図３】本発明の実施の形態１に係る加熱調理器の正面側から見た概略断面図である。
【図４】本発明の実施の形態１に係る加熱調理器の一つの誘導加熱口の回路構成を示す図である。
【図５】本発明の実施の形態２に係る加熱調理器の正面側から見た概略断面図である。
【図６】本発明の実施の形態２に係る加熱調理器内部の部分概略斜視図である。
【図７】本発明の実施の形態３に係る加熱調理器内部の部分概略斜視図である。
【図８】本発明の実施の形態４に係る加熱調理器の正面側から見た概略断面図である。
【図９】本発明の実施の形態４に係る加熱調理器内部の部分概略斜視図である。
【図１０】本発明の実施の形態５に係る加熱調理器内部の部分概略斜視図である。
【発明を実施するための形態】
【０００９】
実施の形態１
（構成）
図１は本発明の実施の形態１に係る加熱調理器の構成を示す斜視図、図２は本発明の実施の形態１に係る加熱調理器の構成を示す天板を外した状態の斜視図、図３は本発明の実施の形態１に係る加熱調理器の正面側から見た概略断面図である。
以下、図１、図２、図３により本発明の実施の形態１の加熱調理器の構成を説明する。
なお、それぞれの図において、同じ部分または相当する部分には同じ符号を付し、一部の説明を省略する場合がある。
【００１０】
図１に示すように、本発明の実施の形態１の加熱調理器１００は、本体１の天面に被調理物を収容した調理容器１０を載置可能な非磁性体、例えば結晶化ガラスからなるトッププレート２と、その外周に図示しないシリコン系接着剤等で固着された金属、例えばステンレスで構成された枠体３を備えてなる天板４を備えている。それから、天板４に各種の操作入力を行う上面操作部５を備え、本体１の前面に各種の操作入力を行う前面操作部６と、加熱調理器の電源を入切する電源スイッチ７を備えている。
【００１１】
８は魚等の被調理物をその内部に載置してグリル調理やオーブン調理をする調理庫で、図３に示すように輻射式加熱手段１５ａ、１５ｂが内部に配設されている。
【００１２】
調理庫８は前面が開口していて、前述した輻射式加熱手段１５ａ、１５ｂが配設された内郭部材８ｂと、その外側を覆うように設けられた外郭部材８ａで構成されている。内郭部材８ｂと外郭部材８ａは金属材で形成されており、被調理物を直接収容する内郭部材８ｂは、さびや腐食を発生し難い例えばステンレスやホーロー鋼板で、外郭部材８ａは例えばメッキ鋼板のような金属材で形成される。
【００１３】
また、内郭部材８ｂと外郭部材８ａは所定の空間Ｗを隔てて構成されており、例えば所定の空間Ｗは５ｍｍ〜１０ｍｍ程度である。
【００１４】
調理庫８の前面開口には、調理庫扉９が前方に引き出し自在に設けられている。調理庫扉９の引き出しに連動して被調理物を載置する載置皿（図示せず）と焼き網（図示せず）が引き出されるようになっており、調理庫扉９を最も押し込んだ状態で調理庫８の前面開口が閉塞され調理が行える。調理の操作入力は、上面操作部５または前面操作部６から行えるようになっている。
【００１５】
トッププレート２の下方には、図２に示すように複数の加熱手段が配設されており、それぞれ誘導加熱コイルからなる誘導加熱手段で１１は左誘導加熱手段、１２は右誘導加熱手段、１３は中央誘導加熱手段である。
【００１６】
ここで、誘導加熱手段とは、電磁誘導の原理を利用した加熱手段のことを言い、誘導加熱コイルに高周波交流電流を印加すると回転した磁力線が発生し誘導加熱コイル内部には一様な磁界が発生する。磁界が誘導加熱コイルを貫通すると誘導加熱コイル内部では磁束変化を妨げる磁界が発生し、被加熱物に渦電流が流れ高周波交流電流、例えば２０〜９０ｋＨｚの交流電流を印加することで流れ続ける。それで被加熱物の電気抵抗と渦電流によってジュール熱が発生することにより被加熱物が発熱する加熱方式のことである。
【００１７】
なお、前述の説明では３口の誘導加熱手段を備えた例をあげたが、加熱手段を３口供えた加熱調理器では、その内の１口が誘導加熱手段ではない加熱手段、例えばラジエントヒーターのような電熱線からなる輻射式加熱手段で構成してもよく適宜選択可能である。また、加熱手段は３口に限らず２口でもよく、その場合の加熱手段の組合せも誘導加熱手段、輻射式加熱手段から適宜選択可能である。
【００１８】
左誘導加熱手段１１、右誘導加熱手段１２、中央誘導加熱手段１３の下方には調理庫８の他に、電子部品から構成される制御手段を内包した制御基板１６ｂと、スイッチング素子１７と整流回路、その他電子部品から構成されるインバーター回路を内包したインバーター基板１６ａが配設されている。スイッチング素子１７はリード線１８を介してインバーター基板１６ａに電気的に接続している。
【００１９】
左誘導加熱手段１１、右誘導加熱手段１２、中央誘導加熱手段１３と調理庫８及びインバーター基板１６ａと制御基板１６ｂとは、図３に示すように遮蔽板１４により区分けされている。
【００２０】
前述の通り、遮蔽板１４の下方に調理庫８とインバーター基板１６ａ、制御基板１６ｂが配設されている。インバーター基板１６ａは調理庫８の近傍に配置され、インバーター基板１６ａにリード線１８を介して電気的に接続しているスイッチング素子１７は、調理庫８の外郭部材８ａに例えばネジ留め等の固定手段（図示せず）により熱的に結合するように取り付けられている。
【００２１】
ここでいう熱的に結合するとは、発熱するスイッチング素子１７の面積が最大の平面部と、放熱効果のある表面積の大きな金属である外郭部材８ａとを、直接あるいは熱伝導性のよいグリスや薄い樹脂膜等を介し、スイッチング素子１７の発熱を外郭部材８ａへ最大限伝熱させるよう面で接触させた結合状態のことである。
【００２２】
スイッチング素子１７は、例えば炭化珪素、窒化ガリウム系材料又はダイヤモンドからなる半導体である。炭化珪素、窒化ガリウム系材料又はダイヤモンドからなる半導体は、珪素（Ｓｉ）からなる半導体のバンドギャップ（禁制帯）が１．１ｅＶ程度であるのに比べて３〜５倍程度バンドギャップ（禁制帯）が大きいことからワイドバンドギャップ半導体と呼ばれる。
【００２３】
ワイドバンドギャップ半導体によって形成されたスイッチング素子１７は耐熱性に優れており、シリコン半導体よりも高温での動作が可能であるので、従来のように大型のヒートシンクのような放熱部材を使わず、金属で熱容量が大きく、また表面積が広いので放熱効果の大きい外郭部材８ａに取付けることで動作させることが可能である。
【００２４】
また、ワイドバンドギャップ半導体によって形成されたスイッチング素子１７は、耐電圧性が高く許容電流密度も高いため、シリコン半導体で形成されたスイッチング素子よりも小型化が可能であり、放熱部材を使わないことと併せスイッチング素子１７が接続されるインバーター基板１６ａのスイッチング素子１７が占有する面積を小さくすることができ、基板の小型化が可能となる。
【００２５】
（回路構成）
図４は、本発明の実施の形態１に係る加熱調理器の一つの誘導加熱口の回路構成を示す図である。図４により、加熱調理器の一つの誘導加熱口の回路構成を説明する。
なお、図４おいて、図１〜図３と同じ部分または相当する部分には同じ符号を付し、一部の説明を省略する場合がある。
【００２６】
図４に示すように商用電源３４から供給される交流電圧は、整流回路（ダイオードブリッジ）３５にて直流電圧に変換され、整流回路（ダイオードブリッジ）３５の出力側に接続されたインバーター回路３０に供給されるようになっている。
【００２７】
インバーター回路３０は、スイッチング素子１７と、そのスイッチング素子１７にそれぞれ逆並列に接続されたダイオード３１とから構成される。インバーター回路３０の出力側には負荷回路３３が接続されている。
【００２８】
負荷回路３３は、例えば加熱調理器の一つの誘導加熱口である左誘導加熱手段１１と共振コンデンサ３２で構成される。負荷回路３３はインバーター回路３０で変換された高周波電流が誘導加熱手段１１に流れることにより被加熱物を誘導加熱するようになっている。
【００２９】
なお、本実施の形態ではスイッチング素子を使用するインバーター回路の一例としてハーフブリッジ構成の回路で説明しているがこれに限定されるものではなく、フルブリッジ構成の回路、一石共振構成の回路でも良く、回路構成はその回路が搭載される機器に応じて適宜選択可能である。
【００３０】
（動作）
前述のように構成された加熱調理器において、図１に示す上面操作部５あるいは前面操作部６の操作入力により、図示しない制御手段によってインバーター回路３０が駆動され例えば誘導加熱手段１１の加熱が開始される。
【００３１】
インバーター回路３０が駆動されると、スイッチング素子１７も通電され、その通電により発熱する。前述のようにスイッチング素子１７は、調理庫８の外郭部材８ａに熱的に結合するように取り付けられているので、スイッチング素子１７の発した熱は外郭部材８ａへ伝達され外郭部材８ａから放熱され、スイッチング素子１７の温度上昇が抑えられるようになる。
【００３２】
以上のように本発明の実施の形態１の加熱調理器は、スイッチング素子を高温での動作も可能である耐熱性に優れたワイドバンドギャップ半導体によって形成したので、スイッチング素子自体の小型化が可能であり、更にインバーター基板の面積を広く占有する大型のヒートシンクのような放熱部材を使う必要がないので、インバーター基板を小型化することが可能となる。
【００３３】
また、スイッチング素子を高温での動作も可能である耐熱性に優れたワイドバンドギャップ半導体によって形成し、熱容量が大きく表面積が広いので放熱効果の大きい調理庫の外郭部材を放熱部材として使うことで、高価なスイッチング素子専用の冷却部品を使わない構成とすることができ、部品削減によるコストダウンが可能となる。
【００３４】
実施の形態２
（構成）
図５は本発明の実施の形態２に係る加熱調理器の正面側から見た概略断面図、図６は本発明の実施の形態２に係る加熱調理器内部の部分概略斜視図である。
本発明の実施の形態２に係る加熱調理器は本発明の実施の形態１に係る加熱調理器の構成と冷却ファンを備える点が異なるだけであるので、異なる部分について説明する。
なお、本発明の実施の形態２に係る加熱調理器と本発明の実施の形態１に係る加熱調理器の図１〜図３で説明した部分と同じ部分または相当する部分には同じ符号を付し、同じ符号の付いたものの説明は省略する場合がある。
また、本発明の実施の形態２に係る加熱調理器の回路構成は、本発明の実施の形態１に係る加熱調理器の回路構成と同一であるので回路構成に関する説明は省略する。
【００３５】
図５に示すように、本発明の実施の形態２の加熱調理器２００は、誘導加熱手段等を冷却するための冷却手段である冷却ファン２０が冷却ファンケース１９に収容されて本体１後方に配設されている。冷却ファン２０は左誘導加熱手段１１、右誘導加熱手段１２、中央誘導加熱手段１３何れかの通電が開始されると図示しない制御手段によって駆動し、図示しない吸気口から外気を吸気し本体１内へ冷却風の送風を行う。
【００３６】
冷却風は遮蔽板１４により区分けされた本体１の下部から、遮蔽板１４に設けられた図示しない通風路を通り本体１の上部へ送られ左誘導加熱手段１１、右誘導加熱手段１２、中央誘導加熱手段１３を冷却し図示しない排気口から外へ排出されるようになっている。
【００３７】
（動作）
前述のように構成された加熱調理器において、図１に示す上面操作部５あるいは前面操作部６の操作入力により、図示しない制御手段によってインバーター回路３０が駆動し例えば左誘導加熱手段１１の加熱が開始されると同時に冷却ファン２０も駆動する。
【００３８】
インバーター回路３０が駆動されると、ワイドバンドギャップ半導体によって形成されたスイッチング素子１７も通電され、その通電により発熱する。前述のようにスイッチング素子１７は、調理庫８の外郭部材８ａに熱的に結合するように取り付けられているので、スイッチング素子１７の発した熱は外郭部材８ａへ伝達され外郭部材８ａから放熱され、スイッチング素子１７の温度上昇が抑えられようになる。
【００３９】
さらに、図６に示すように冷却ファン２０が発生する冷却のための風の流れＡが、調理庫８の外郭部材８ａのスイッチング素子１７が取付けられた面に沿って通過するので、スイッチング素子１７と外郭部材８ａを直接冷却できる。
【００４０】
以上のように本発明の実施の形態２の加熱調理器は、スイッチング素子を高温での動作も可能である耐熱性に優れたワイドバンドギャップ半導体によって形成したので、スイッチング素子自体の小型化が可能であり、更にインバーター基板の面積を広く占有する大型のヒートシンクのような放熱部材を使う必要がないので、インバーター基板を小型化することが可能となる。
【００４１】
また、スイッチング素子を高温での動作も可能である耐熱性に優れたワイドバンドギャップ半導体によって形成し、金属で熱容量が大きく、また表面積が広いので放熱効果の大きい調理庫の外郭部材を放熱部材として使うことで、高価なスイッチング素子専用の冷却部品を使わない構成とすることができ、部品削減によるコストダウンが可能となる。
【００４２】
さらに、スイッチング素子と外郭部材のスイッチング素子が取付けられた面を冷却風が通過するようにしたので、冷却風によりスイッチング素子の冷却と外郭部材の放熱効果を向上させることが可能となる。
【００４３】
なお、本実施の形態では冷却ファンを本体後方に配置し送り出す風、送風で冷却するようにしているがこれに限定されるものではない。冷却ファンを本体前方に配置し引いて発生させる風、誘引風で冷却するようにしても同様の効果を得ることができ、冷却ファンの配置位置が後方か前方か、送風あるいは誘引風のどちらかを利用するかは適宜選択可能である。
【００４４】
実施の形態３
図７は本発明の実施の形態３に係る加熱調理器内部の部分概略斜視図である。
本発明の実施の形態３に係る加熱調理器は本発明の実施の形態２に係る加熱調理器の構成と一部異なるだけであるので、異なる部分について説明する。
なお、本発明の実施の形態２に係る加熱調理器の各図で説明した部分と同じ部分または相当する部分には同じ符号を付し、同じ符号の付いたものの説明は省略する場合がある。
また、本発明の実施の形態３に係る加熱調理器の回路構成は、本発明の実施の形態２に係る加熱調理器の回路構成と同一であるので回路構成に関する説明は省略する。
【００４５】
（構成）
図７に示すように、外郭部材８ａには通風口２２が設けられている。通風口２２は所定の空間Ｗへ冷却風を送るためのものである。
【００４６】
（動作）
前述のように構成された加熱調理器において、図１に示す上面操作部５あるいは前面操作部６の操作入力により、図示しない制御手段によってインバーター回路３０が駆動し例えば左誘導加熱手段１１の加熱が開始されると同時に冷却ファン２０も駆動する。
【００４７】
インバーター回路３０が駆動されると、ワイドバンドギャップ半導体によって形成されたスイッチング素子１７も通電され、その通電により発熱する。前述のようにスイッチング素子１７は、調理庫８の外郭部材８ａに熱的に結合するように取り付けられているので、スイッチング素子１７の発した熱は外郭部材８ａへ伝達され外郭部材８ａから放熱され、スイッチング素子１７の温度上昇が抑えられるようになる。
【００４８】
さらに、図７に示すように冷却ファン２０が発生する冷却のための風の流れＡが、調理庫８の外郭部材８ａのスイッチング素子１７が取付けられた面に沿って通過するので、スイッチング素子１７と外郭部材８ａを直接冷却できる。
【００４９】
それから、図７に示すように、風の流れＡは風の流れＢのように通風口２２から所定の空間Ｗへ送りこまれ、風の流れＣのように調理庫８の外郭部材８ａのスイッチング素子１７が取付けられた面の裏側を通過して冷却する。
【００５０】
以上のように本発明の実施の形態２の加熱調理器は、スイッチング素子を高温での動作も可能である耐熱性に優れたワイドバンドギャップ半導体によって形成したので、スイッチング素子自体の小型化が可能であり、更にインバーター基板の面積を広く占有する大型のヒートシンクのような放熱部材を使う必要がないので、インバーター基板を小型化することが可能となる。
【００５１】
また、スイッチング素子を高温での動作も可能である耐熱性に優れたワイドバンドギャップ半導体によって形成し、金属で熱容量が大きく、また表面積が広いので放熱効果の大きい調理庫の外郭部材を放熱部材として使うことで、高価なスイッチング素子専用の冷却部品を使わない構成とすることができ、部品削減によるコストダウンが可能となる。
【００５２】
さらに、スイッチング素子と外郭部材のスイッチング素子が取付けられた面を冷却風が通過するようにしたので、冷却風によりスイッチング素子の冷却と外郭部材の放熱効果を向上させることが可能となる。
【００５３】
それから、外郭部材のスイッチング素子が取付けられた面の裏側を冷却風が通過するようにしたので、放熱の効果をより向上させることが可能となる。
【００５４】
実施の形態４
図８は本発明の実施の形態４に係る加熱調理器の正面側から見た概略断面図、図９は本発明の実施の形態４に係る加熱調理器内部の部分概略斜視図である。
本発明の実施の形態４に係る加熱調理器は本発明の実施の形態２〜３に係る加熱調理器の構成とスイッチング素子の取り付けが異なるだけであるので、異なる部分について説明する。
なお、本発明の実施の形態４に係る加熱調理器と本発明の実施の形態２〜３に係る加熱調理器の各図で説明した部分と同じ部分または相当する部分には同じ符号を付し、同じ符号の付いたものの説明は省略する場合がある。
また、本発明の実施の形態４に係る加熱調理器の回路構成は、本発明の実施の形態２〜３に係る加熱調理器の回路構成と同一であるので回路構成に関する説明は省略する。
【００５５】
図８、図９に示すように、本発明の実施の形態４の加熱調理器３００は、誘導加熱手段等を冷却するための冷却手段である冷却ファン２０が冷却ファンケース１９に収容されて本体１後方に配設されている。冷却ファン２０は左誘導加熱手段１１、右誘導加熱手段１２、中央誘導加熱手段１３何れかの通電が開始されると図示しない制御手段によって駆動し、図示しない吸気口から外気を吸気し本体内へ冷却風の送風を行う。
【００５６】
冷却風は遮蔽板１４により区分けされた本体１の下部から、遮蔽板１４に設けられた図示しない通風路を通り本体１の上部へ送られ左誘導加熱手段１１、右誘導加熱手段１２、中央誘導加熱手段１３を冷却し図示しない排気口から外へ排出されるようになっている。
【００５７】
また、図８、図９に示すようにワイドバンドギャップ半導体によって形成されたスイッチング素子１７は、調理庫８の外郭部材８ａと内郭部材８ｂの間に設けられた所定の空間Ｗ内で、外郭部材８ａ側に例えばネジ留め等の固定手段（図示せず）により熱的に結合するように取り付けられている。
【００５８】
そして、スイッチング素子１７は、外郭部材８ａに設けられたリード線用開口２１を介してリード線１８によってインバーター基板１６ａに接続されている。
【００５９】
（動作）
前述のように構成された加熱調理器において、図１に示す上面操作部５あるいは前面操作部６の操作入力により、図示しない制御手段によってインバーター回路３０が駆動し例えば誘導加熱手段１１の加熱が開始されると同時に冷却ファン２０も駆動する。
【００６０】
インバーター回路３０が駆動されると、スイッチング素子１７も通電され、その通電により発熱する。前述のようにスイッチング素子１７は、調理庫８の金属材で形成された外郭部材８ａと同じく金属材で形成された内郭部材８ｂの間に設けられた所定の空間Ｗ内で、外郭部材８ａ側に熱的に結合するように取り付けられているので、スイッチング素子１７の発した熱は外郭部材８ａへ伝達され外郭部材８ａから放熱され、スイッチング素子１７の温度上昇が抑えられるようになる。
【００６１】
さらに、図９に示すように冷却ファン２０が発生する冷却のための風の流れＡが、調理庫８の外郭部材８ａのスイッチング素子１７が取付けられた面の裏側に沿って通過するので、スイッチング素子１７が取付けられた外郭部材８ａを直接冷却できる。
【００６２】
以上のように本発明の実施の形態４の加熱調理器は、スイッチング素子を高温での動作も可能である耐熱性に優れたワイドバンドギャップ半導体によって形成したので、スイッチング素子自体の小型化が可能であり、更にインバーター基板の面積を広く占有する大型のヒートシンクのような放熱部材を使う必要がないので、インバーター基板を小型化することが可能となる。
【００６３】
また、スイッチング素子を高温での動作も可能である耐熱性に優れたワイドバンドギャップ半導体によって形成し、金属で熱容量が大きく、また表面積が広いので放熱効果の大きい調理庫の外郭部材を放熱部材として使うことで、高価なスイッチング素子専用の冷却部品を使わない構成とすることができ、部品削減によるコストダウンが可能となる。
【００６４】
さらに、スイッチング素子が取付けられた面の裏側を冷却風が通過するようにしたので、冷却風によりスイッチング素子が取付けられた外郭部材の放熱効果を向上させることが可能となる。
【００６５】
それから、スイッチング素子を金属材で形成された外郭部材と内郭部材の間に設けられた所定の空間Ｗ内に取り付けるようにしたので、外来ノイズの影響を受け難くなりスイッチング素子の誤動作が起き難くなることから、安全性を向上させることが可能となる。
【００６６】
実施の形態５
図１０は本発明の実施の形態５に係る加熱調理器内部の部分概略斜視図である。
本発明の実施の形態５に係る加熱調理器は本発明の実施の形態４に係る加熱調理器の構成と一部異なるだけであるので、異なる部分について説明する。
なお、本発明の実施の形態５に係る加熱調理器と本発明の実施の形態４に係る加熱調理器の各図で説明した部分と同じ部分または相当する部分には同じ符号を付し、同じ符号の付いたものの説明は省略する場合がある。
また、本発明の実施の形態５に係る加熱調理器の回路構成は、本発明の実施の形態４に係る加熱調理器の回路構成と同一であるので回路構成に関する説明は省略する。
【００６７】
（構成）
図１０に示すように、外郭部材８ａには通風口２２が設けられている。通風口２２は所定の空間Ｗへ冷却風を送るためのものである。
【００６８】
（動作）
前述のように構成された加熱調理器において、図１に示す上面操作部５あるいは前面操作部６の操作入力により、図示しない制御手段によってインバーター回路３０が駆動し例えば左誘導加熱手段１１の加熱が開始されると同時に冷却ファン２０も駆動する。
【００６９】
インバーター回路３０が駆動されると、ワイドバンドギャップ半導体によって形成されたスイッチング素子１７も通電され、その通電により発熱する。前述のようにスイッチング素子１７は、調理庫８の外郭部材８ａと内郭部材８ｂの間に設けられた所定の空間Ｗ内で、外郭部材８ａ側に熱的に結合するように取り付けられているので、スイッチング素子１７の発した熱は外郭部材８ａへ伝達され外郭部材８ａから放熱され、スイッチング素子１７の温度上昇が抑えられるようになる。
【００７０】
さらに、図１０に示すように冷却ファン２０が発生する冷却のための風の流れＡが、調理庫８の外郭部材８ａのスイッチング素子１７が取付けられた面の裏側に沿って通過するので、スイッチング素子１７が取付けられた外郭部材８ａを直接冷却できる。
【００７１】
それから、図１０に示すように、風の流れＡは風の流れＢのように通風口２２から所定の空間Ｗへ送りこまれ、風の流れＣのように調理庫８の外郭部材８ａのスイッチング素子１７が取付けられた面側を通過して、スイッチング素子１７が取付けられた周辺の外郭部材８ａ及びスイッチング素子１７を直接冷却する。
【００７２】
以上のように本発明の実施の形態５の加熱調理器は、スイッチング素子を高温での動作も可能である耐熱性に優れたワイドバンドギャップ半導体によって形成したので、スイッチング素子自体の小型化が可能であり、更にインバーター基板の面積を広く占有する大型のヒートシンクのような放熱部材を使う必要がないので、インバーター基板を小型化することが可能となる。
【００７３】
また、スイッチング素子を高温での動作も可能である耐熱性に優れたワイドバンドギャップ半導体によって形成し、金属で熱容量が大きく、また表面積が広いので放熱効果の大きい調理庫の外郭部材を放熱部材として使うことで、高価なスイッチング素子専用の冷却部品を使わない構成とすることができ、部品削減によるコストダウンが可能となる。
【００７４】
さらに、スイッチング素子が取付けられた面の裏側を冷却風が通過するようにしたので、冷却風によりスイッチング素子の放熱の効果を向上させることが可能となる。
【００７５】
それから、所定の空間へ冷却風を送りこみ、スイッチング素子が取付けられた面側を冷却風が通過するようにしたので、冷却風によりスイッチング素子の冷却と外郭部材の放熱効果をさらに向上させることが可能となる。
【００７６】
そして、スイッチング素子を金属材で形成された外郭部材と内郭部材の間に設けられた所定の空間Ｗ内に取り付けるようにしたので、外来ノイズの影響を受け難くなりスイッチング素子の誤動作が起き難くなることから、安全性を向上させることが可能となる。
【００７７】
また、実施の形態１から実施の形態５の全てで、発熱するスイッチング素子をインバーター基板上に直接載置していないため、インバーター基板自体の温度上昇を抑制することができ安全性、品質の向上が可能となる。
【符号の説明】
【００７８】
１  本体、２  トッププレート、３  枠体、４  天板、５  上面操作部、６  前面操作部、７  電源スイッチ、８  調理庫、８ａ  外郭部材、８ｂ  内郭部材、９  調理庫扉、１０  調理容器、１１  左誘導加熱手段、１２  右誘導加熱手段、１３  中央誘導加熱手段、１４  遮蔽板、１５ａ  輻射式加熱手段、１５ｂ  輻射式加熱手段、１６ａ  インバーター基板、１６ｂ  制御基板、１７  スイッチング素子、１８  リード線、１９  冷却ファンケース、２０  冷却ファン、２１  リード線用開口、２２  通風口、３０  インバーター回路、３１  ダイオード、３２  共振コンデンサ、３３  負荷回路、３４  商用電源、３５  整流回路（ダイオードブリッジ）、１００  加熱調理器、２００  加熱調理器、３００  加熱調理器、Ｗ  所定の空間、Ａ  風の流れ、Ｂ  風の流れ、Ｃ  風の流れ。
【図１】
2013246921.tif 000003
【図２】
2013246921.tif 000004
【図３】
2013246921.tif 000005
【図４】
2013246921.tif 000006
【図５】
2013246921.tif 000007
【図６】
2013246921.tif 000008
【図７】
2013246921.tif 000009
【図８】
2013246921.tif 000010
【図９】
2013246921.tif 000011
【図１０】
2013246921.tif 000012